(57)【要約】【課題】傾斜した天井面にも取付け可能で、高さの調節が容易・迅速に行え、不使用時には一部分を残して取り外せ、かつシンプルな構造で体裁も良い室内用吊下げ具の提供。【解決手段】天井面４の取付け用基部２に吊下げる吊下げ杆１を、伸縮可能な内・外側杆１５，１６として、外側杆に設けた伸縮調節部６の操作部片１７の小突起１８が、常時はバネ２０で内側杆側面の長手方向へ複数箇所設けた係止用小穴２２へ選択的に係合可能とすると共に、該吊下げ杆上部に設けた横長状の連結用部５を、その下部が正面図及び側面図で見て下方へ円弧状の凸曲面７ａ，７ｂにし、かつ取付け用基部に連結用部が通過可能な横長状の開口部１０を設けて、該開口部と直交状に、連結用部下部の上記凸曲面に対応した凹曲面１２ａ，１２ｂをもつ連結用凹所１１と、回動させた連結用部が連結用凹所１１の位置で係止するストッパー部１４を設ける。【選択図】        図２
2006020913.tif 000002
【特許請求の範囲】
【請求項１】
下部に物掛け用部３をもつ吊下げ杆１の上部を、天井面４に取付けた取付け用基部２に連結可能とする室内用吊下げ具であって、
上記吊下げ杆１は、上下方向へ伸縮可能な内・外側杆１５，１６に伸縮調節部６を設けたもので、外側杆１６の側端部寄りに、小突起１８をもつ操作部片１７を軸１９で可回動に設け、バネ２０で常時は小突起１８が該外側杆１６の小孔２１から内方へ突出可能にすると共に、
内側杆１５の長手方向の側面に、突出時の上記小突起１８が係合可能な係止用小穴２２を、間隔をおいて複数箇所に形成して、
高さ調節必要時に、小突起１８を後退させた状態で内側杆１５をスライドさせ、所望高さ位置での係止用小穴２２に、突出時の小突起１８を係合・係止させるようにしたことを特長とする、室内用吊下げ具。
【請求項２】
下部に物掛け用部３をもつ吊下げ杆１の上部を、天井面４に取付けた取付け用基部２に連結可能とする室内用吊下げ具であって、
上記吊下げ杆１の上部に、両側方へ短く延びた連結用部５を設けて、該連結用部５の下部を、正面図で見て下方へ円弧状の凸曲面７ａであると共に、側面図で見ても下方へ円弧状の凸曲面７ｂをもつ形状とし
他方、取付け用基部２は、その下板部９に、上記吊下げ杆１の連結用部５を下方から内部へ係合可能な横長の開口部１０を形成し、該横長の開口部１０とほぼ直交位置に、連結用部５の下部の正面図および側面図で見た円弧状の凸曲面７ａ，７ｂに対応する凹曲面１２ａ，１２ｂをもつ連結用凹所１１を形成し、かつ該取付け用基部２内で縦の中心線ｙの周りに回動させた該連結用部５を、連結用凹所１１の位置で係止するストッパー部１４を形成したことを特長とする、室内用吊下げ具。
【請求項３】
下部に物掛け用部３をもつ吊下げ杆１の上部を、天井面４に取付けた取付け用基部２に連結可能とする室内用吊下げ具であって、
上記吊下げ杆１は、上下方向へ伸縮可能な内・外側杆１５，１６に伸縮調節部６を設けたもので、外側杆１６の側端部寄りに、小突起１８をもつ操作部片１７を軸１９で可回動に設け、バネ２０で常時は小突起１８が該外側杆１６の小孔２１から内方へ突出可能にして、内側杆１５の長手方向の側面に、突出時の上記小突起１８が係合可能な係止用小穴２２を、間隔をおいて複数箇所に形成すると共に、
該吊下げ杆１の上部に、両側方へ短く延びた連結用部５を設けて、該連結用部５の下部を、正面図で見て下方へ円弧状の凸曲面７ａであると共に、側面図で見ても下方へ円弧状の凸曲面７ｂをもつ形状とし
他方、取付け用基部２は、その下板部９に、上記吊下げ杆１の連結用部５を下方から内部へ係合可能な横長の開口部１０を形成し、該横長の開口部１０とほぼ直交位置に、上記連結用部５の下部の正面図および側面図で見た円弧状の凸曲面７ａ，７ｂに対応する凹曲面１２ａ，１２ｂをもつ連結用凹所１１を形成し、かつ、該取付け用基部２内で縦の中心線ｙの周りに回動させた該連結用部５を、連結用凹所１１の位置で係止するストッパー部１４を形成したことを特長とする、室内用吊下げ具。
【発明の詳細な説明】
【技術分野】
【０００１】
本発明は、例えば洗濯物の物干し竿やグリーンインテリアの吊り鉢等を、室内で天井から吊り下げるために用いる室内用吊下げ具に関するものである。
【背景技術】
【０００２】
本来洗濯物は屋外に干すものであるが、雨天時や外出時に降雨にさらされたりせぬように室内で干すことも多い。他面、近時はグリーンインテリアを楽しむ人が増え、鉢を単に床に置くのではなく、天井から吊るして立体的に飾り楽しむ家庭も増えている。
【０００３】
上記のような場合に、物干し竿や吊り鉢等を天井から吊り下げるには室内用吊下げ具が必要となり、従来幾つかのものが提案され、商品化されている。
【０００４】
イ）室内での物干し装置であり、下面開口が天井面とほぼ面一になるように天井部に収納箱を設置し、収納箱より昇降自在に吊り下げられた支持アームの下端に、ほぼ水平状態となるように物干し竿を設け、収納箱の中央部分に物干し竿と物干し竿吊り下げ支持する支持アームとが収納される収納部を形成したもの。
【特許文献１】特開平７−５９９９０号公報
【特許文献２】特開平７−３２８２８５号公報
【０００５】
ロ）植木鉢等の吊下げ具であり、天井面に取付け部・支持体を固定し、そこで上部を支持された伸縮可能なロッド・支持パイプに、鉢等を吊下げ用の皿体・フックを設けてなるもの。
【特許文献３】実開平６−２３８号公報
【特許文献４】実用新案登録第３０６１６３号公報
【０００６】
ハ）支持具と吊掛具とからなる吊掛装置であって、支持具は、底面の中央部分に開口部が設けられ、開口部の他方側に天板部が設けられた薄型の略円筒形で、前記開口部を挟んだ両側の底部に、それぞれ下方に半円弧状に突出した受部が設けられると共に、該受部の一側から上方にストッパーとなる隔壁が突設された金属あるいは合成樹脂の一体成形品であり、吊掛具は、シャフトの一端に下面が円弧状の横杆が設けられ、他端に引掛部が設けられたものであり、吊掛具の横杆が、開口部から支持具内に挿入され、隔壁に当接する位置まで回動されることにより、受部で揺動自在に掛止されるようにしたもの。
【特許文献５】特開２００２−３６０９９６号公報
【発明の開示】
【発明が解決しようとする課題】
【０００７】
ところが、上記従来のこの種の室内物干し等の吊下げ具には、次のような問題点があった。
まず、上記イ）の物干し装置は、天井部に収納箱等を設置しておくもので、後付けすることは難しく、家屋を建築時に予め工事しておく必要がある。また頭上空間に収納箱・収納部・物干し竿・支持アーム等が設けられているので圧迫感を覚えるし、さらに支持アームもパンタグラフ式のものであり、構造が複雑で、設置コストも高くついている。
【０００８】
上記ロ）の吊下げ具は、テレスコピック式の円筒体・パイプで、それを側方から調節機構としてのセットネジの螺装して掛止したり、パイプ下端に螺装したリング状ネジでパイプ内径を縮小させて締付け固定している。そのため、吊下げ高さの調節時には、円筒体・パイプをネジを緩めたり締め付けたりする必要があって操作に手間がかかり、ワンタッチで迅速に行うことができない。
【０００９】
また、天井面に取り付ける取付け部・支持体と、円筒体・パイプの上部とは常時固定されているため、傾斜した天井面に固定した取付け部・支持体から吊り下げられた円筒体・パイプは垂下状にならず斜め状になってしまう。しかも、植木鉢等を吊り下げない場合にも、天井面から取付け部・支持体や少なくとも上部の円筒体・パイプがぶら下がったままであり、きわめて体裁が悪い。
【００１０】
上記ハ）の吊下装置は、支持具を傾斜した天井面に固定した際、吊掛具を揺動可能に支持することはできるとしているが、それは天井面が一方向へ傾斜している場合に限られている。天井面が同時に他方向へも傾斜している場合には、吊掛具は垂直状に吊下げられないし、またそのために、支持具の連結各部に無理な力がかかってしまうことになる。
【００１１】
本発明は、上記従来の室内用吊下げ具がもつ問題点の解決を課題としている。即ち本発明の目的は、天井等に取付けて室内で物干し竿や吊り鉢等を吊り下げられるもので、シンプルな構造でコストダウンを図りながら、天井面に傾斜があっても取付け可能であると共に、高さの調節が容易・迅速に行え、不使用時には一部分のみを残して取り外すこともでき、かつ体裁も良い、室内用吊下げ具を提供することにある。
【課題を解決するための手段】
【００１２】
Ｉ  本発明に係る室内用吊下げ具の第１は、
下部に物掛け用部３をもつ吊下げ杆１の上部を、天井面４に取付けた取付け用基部２に連結可能とする室内用吊下げ具であって、
上記吊下げ杆１は、上下方向へ伸縮可能な内・外側杆１５，１６に伸縮調節部６を設けたもので、外側杆１６の側端部寄りに、小突起１８をもつ操作部片１７を軸１９で可回動に設け、バネ２０で常時は小突起１８が該外側杆１６の小孔２１から内方へ突出可能にすると共に、
内側杆１５の長手方向の側面に、突出時の上記小突起１８が係合可能な係止用小穴２２を、間隔をおいて複数箇所に形成して、
高さ調節必要時に、操作部片１７の操作で小突起１８を後退させた状態で内側杆１５をスライドさせ、所望高さ位置での係止用小穴２２に、突出時の小突起１８を係合・係止させるようにしたものである。
【００１３】
ＩＩ  本発明に係る室内用吊下げ具の第２は、
下部に物掛け用部３をもつ吊下げ杆１の上部を、天井面４に取付けた取付け用基部２に連結可能とする室内用吊下げ具であって、
上記吊下げ杆１の上部に、両側方へ短く延びた連結用部５を設けて、該連結用部５の下部を、正面図で見て下方へ円弧状の凸曲面７ａであると共に、側面図で見ても下方へ円弧状の凸曲面７ｂをもつ形状とし
他方、取付け用基部２は、その下板部９に、上記吊下げ杆１の連結用部５を下方から内部へ係合可能な横長の開口部１０を形成し、該横長の開口部１０とほぼ直交位置に、上記連結用部５の下部の正面図および側面図で見た円弧状の凸曲面７ａ，７ｂに対応する凹曲面１２ａ，１２ｂをもつ連結用凹所１１を形成し、かつ該取付け用基部２内で縦の中心線ｙの周りに回動させた該連結用部５を、連結用凹所１１に対応する位置で係止するストッパー部１４を形成したものである。
【００１４】
ＩＩＩ  本発明に係る室内用吊下げ具の第３は、
下部に物掛け用部３をもつ吊下げ杆１の上部を、天井面４に取付けた取付け用基部２に連結可能とする室内用吊下げ具であって、
上記吊下げ杆１は、上下方向へ伸縮可能な内・外側杆１５，１６に伸縮調節部６を設けたもので、外側杆１６の側端部寄りに、小突起１８をもつ操作部片１７を軸１９で可回動に設け、バネ２０で常時は小突起１８が該外側杆１６の小孔２１から内方へ突出可能にして、内側杆１５の長手方向の側面に、突出時の上記小突起１８が係合可能な係止用小穴２２を、間隔をおいて複数箇所に形成すると共に、
該吊下げ杆１の上部に、両側方へ短く延びた連結用部５を設けて、該連結用部５の下部を、正面図で見て下方へ円弧状の凸曲面７ａであると共に、側面図で見ても下方へ円弧状の凸曲面７ｂをもつ形状とし
他方、取付け用基部２は、その下板部９に、上記吊下げ杆１の連結用部５を下方から内部へ係合可能な横長の開口部１０を形成し、該横長の開口部１０とほぼ直交位置に、上記連結用部５の下部の正面図および側面図で見た円弧状の凸曲面７ａ，７ｂに対応する凹曲面１２ａ，１２ｂをもつ連結用凹所１１を形成すると共に、該取付け用基部２内で縦の中心線ｙの周りに回動させた該連結用部５を、連結用凹所１１に対応する位置で係止するストッパー部１４を形成したものである。
【００１５】
上記の構成で、伸縮可能な吊下げ杆１は、上段の外側杆１６を中空状で、下段の内側杆１５を棒状にしておくのがよいが、上段を棒状の内側杆とし、下段を中空状の外側杆とすることも可能である。
【００１６】
吊下げ杆１の連結用部５と取付け用基部２との大きさの関係は、連結用部５を取付け用基部２の開口部１０を通過させて内部へ係合可能で、かつ該連結用部５を取付け用基部２内で縦の中心線ｙの周りに回動可能な大きさである。開口部１０の長手方向の長さは連結用部５の長手方向の長さ（側面図で見た長さ）より少し大きく、また開口部１０の短手方向の長さが連結用部５の短手方向の長さ（正面図で見た長さ）より少し大きくしてる。
【００１７】
吊下げ杆１の上端には、取付け用基部２内へ係合して縦の中心線ｙの周りに回動させる際にガイドとなるガイド用部８を形成し、それを受けるガイド用部２４を取付け用基部２の上板部１３に形成しておくことが望ましい。
【００１８】
なおこの室内用吊下げ具は、例えば物干し竿２３を吊るすような場合は、通常は物干し竿２３の本数毎に一対を設置すればよいが、吊り鉢２４を吊るすような場合は、通常は吊り鉢２４の数に応じて設置すればよい。
【発明の効果】
【００１９】
上記Ｉの本発明に係る室内用吊下げ具の第１のものでは、
ａ）上記Ｉのものと同様に、天井面４への取付け用基部２と、吊下げ杆１とのシンプルな構成であるから、従来のものに比してコストを低減できる。
【００２０】
ｂ）室内で吊り下げる物干し竿２３や吊り鉢２４等の高さの調節を、容易に行うことができる。即ち、吊下げ杆１は重合した内・外側杆１５，１６で伸縮可能とし、かつ常時はバネ２０の力で内方へ突出して内側杆１５の掛止用小孔２１に係合する小突起１８を、伸縮調節部６の操作部片１７の操作でバネ力に抗して後退させられる。
【００２１】
そのため、高さ調節が必要時に操作部片１７を押すことで、内側杆１５はスライドが可能となるから、スライドさせて所望の高さ位置の係止用小孔２１に小突起１８が係合した状態で手を放せばよい。これで、洗濯物や吊り鉢の紐の長さ、利用者の身長の高低等に応じた吊下げ高さに調節できる。
【００２２】
ｃ）また上記ｂ）のような構造であるから、伸縮調節部６の操作部片１７の操作で小突起１８を後退させた状態で下側の杆をスライドさせて引き抜くことが可能である。そのため、この室内用吊下げ具を利用しない場合は、天井面４の取付け用基部２に上段の杆だけが残った状態になり（例えば図３参照）、この面でも室内空間を広く利用でき、かつ体裁もよい。
【００２３】
ｄ）さらに、上記内側杆１５の長手方向の側面には、単に複数箇所に係止用小孔２１を形成してあるだけであるから、上記従来の側部からセットネジを螺装して内側パイプを固定したり、リング状ネジを螺装して外側パイプを縮径して内側パイプを固定するものに比べて、構造がよりシンプルであり、コストダウンを図れると共に体裁も良くなっている。また、吊下げ杆の伸縮調節部としては、内側丸棒にバネで突出する小突起を内装し、外側パイプの数箇所に形成した小孔に選択的に係合・係止させるものも考えられるが、外側パイプに多くの孔をあける必要もなく、スッキリした形状になる。
【００２４】
上記ＩＩの本発明に係る室内用吊下げ具の第２のものでは、
ｅ）上記の如く天井面４への取付け用基部２と、下部に引掛け用部３をもつ吊下げ杆１とのシンプルな構成であるから、従来のものに比してコストを低減できる。
【００２５】
ｆ）取付け用基部２に吊下げ杆１を連結可能としたものであり、取付け用基部２を一旦天井面４へ取り付けておけば、この吊下げ具を利用する場合に、下方から吊下げ杆１を取付け用基部２へ連結するだけで、いつでもこの吊下げ具Ａを利用できるし、利用しないときは吊下げ杆１をすべて取り外しておけるので（例えば図４参照）、室内空間を広く利用できるし、体裁もよい。
【００２６】
ｇ）上記で、吊下げ杆１を取付け用基部２に連結させる作業は、誰でも簡単に行うことができる。即ち、吊下げ杆１を持って上部の連結用部５を取付け用基部２の開口部１０から挿入し、連結用部５上端のガイド用部８を取付け用基部２のガイド用部２４と係合させた状態で、縦の中心線ｙの周りに回動させるだけでよい。連結用部５が約９０度回動するとストッパー部１４に当たって係止されるが、その位置は該連結用部５が取付け用基部２の連結用凹所１１に対応する位置である。その時点で手を外すことで、連結用部５の下部が取付け用基部２の連結用凹所１１に係合して、吊下げ杆１を垂下状に取付け用基部２へ連結できる。
【００２７】
ｈ）取付け用基部２から吊下げ杆１を取り外すのも簡単に行える。即ち、吊下げ杆１を少し持ち上げて先とは逆方向へ約９０度回動させると、連結用部５がストッパー部１４に当たるが、この場合のその位置は先に連結用部５を挿入した際の開口部１０の位置と一致する。その時点で吊下げ杆１を下方へ下ろすことで、連結用部５が開口部１０を通過して容易に取り外すことができる。
【００２８】
ｉ）この室内用吊下げ具は、天井面が傾斜していても吊下げ杆１を常に垂下状に吊り下げることができる。即ち、天井面４が傾斜している場合には、取付け用基部２を、その開口部１０の長手方向が傾斜方向と一致するように取付けて、吊下げ杆１を連結用部５により連結すればよい。これで、吊下げ杆１の連結用部５下部の正面図で見た凸曲面７ａが、取付け用基部２の連結用凹所１１の凹曲面１２ａ内で自由に動けると共に、吊下げ杆１が開口部１０の長手方向に沿って自由に動けるから、吊下げ杆１は自然に垂下状態に吊下げられることになる（例えば図２参照）。
【００２９】
ｊ）天井面４が同時に他方向へも傾斜していた場合にも、吊下げ杆１の連結用部５の下部の側面図で見た凸曲面７ｂが、それに対応する取付け用基部２の連結凹所１１の凹曲面１２ｂ内で自由に動けるから、ここでも吊下げ杆１は開口部１０の短手方向へ動いて、自然と垂下状態に吊り下げることができるし（例えば図３参照）、またそのために、物を吊り下げた場合に連結各部に無理な力が加わらなくなっている。
【００３０】
ｋ）吊下げ杆１に物干し竿２３や吊り鉢２４を吊り下げる際に、吊下げ杆１に前後・左右の外力が加わって揺れ動いても、上記ｉ），ｊ）で述べた構造により、吊下げ杆１は取付け用基部２に対して前後および左右へ自由に揺動可能であるから、この面でもこの面でも連結各部に無理な力が加わらず、損傷するおそれが無くなっている。
【００３１】
上記ＩＩＩの本発明に係る室内用吊下げ具の第３のものは、上記ＩおよびＩＩにおける効果を有する。繰り返しになるが略述する。
【００３２】
ｌ）室内で吊り下げる例えば物干し竿２３や吊り鉢２４の高さを、容易に調節することができる。即ち、高さ調節が必要時に伸縮調節部６の操作部片１７を操作して小突起１８を後退させ、内側杆１５をスライドさせて、小突起１８を所望高さ位置での係止用小穴２２に係合・係止させればよい。これで、洗濯物や吊り鉢の長さ、或いは利用者の身長の高低等に応じた吊下げ高さに調節できる。
【００３３】
ｍ）上記と同様に伸縮調節部６の操作部片１７を操作して、小突起１８が後退した状態で下側の杆をスライドさせ抜き取ってしまうこともできる。そのため、室内用吊下げ具を利用しない場合は、天井面４の取付け用基部２には上側の杆だけが残る状態になり（例えは上記図３参照）、やはり室内空間を広く利用でき、かつ体裁もよくなる。
【００３４】
ｎ）上記内側杆１５の長手方向の側面には、単に複数箇所に係止用小孔２１を形成してあるだけであり、従来のものと比べて構造がシンプルであり、コストダウンを図れるし、体裁もよくなる。
【００３５】
ｏ）上記の如く天井面４への取付け用基部２と吊下げ杆１とのシンプルな構成で、従来のものに比してコストを低減できる。
【００３６】
ｐ）取付け用基部２と吊下げ杆１とを必要に応じて着脱可能としたものであるから、取付け用基部２を天井面４へ取り付けておけば、この吊下げ具を利用時に吊下げ杆１を連結すればよいし、利用しないときは吊下げ杆１を取り外しておけばよく（例えば上記図４参照）、室内空間を広く利用できるし、体裁も良い。
【００３７】
ｑ）上記で吊下げ杆１を連結することは誰でも簡単に行える。即ち、吊下げ杆１を持って上部の連結用部５を取付け用基部２の開口部１０から挿入し、縦の中心線ｙの周りに該連結用部５がストッパー部１４に当たるまで回動させて手を外せば、連結用部５の下部が取付け用基部２の連結用凹所１１に係合し、吊下げ杆１を取付け用基部２に連結できる。      
【００３８】
ｒ）取付け用基部２から吊下げ杆１を取り外しも簡単である。吊下げ杆１を少し持ち上げて先とは逆方向へストッパー部１４に当たるまで回動させると、連結用部５が開口部１０と一致する位置にくるから、吊下げ杆１を下方へ下ろせばよい。
【００３９】
ｓ）この室内用吊下げ具は、天井面４が傾斜していても吊下げ杆１を常に垂下状に吊り下げることができる。即ち、取付け用基部２を、その開口部１０の長手方向が天井面４の傾斜方向と一致するように取付けて、吊下げ杆１を連結すればよい。吊下げ杆１の連結用部５下部の正面図で見た凸曲面部７ａが、それに対応した取付け用基部２の連結用凹所１１の凹曲面１２ａ内で自由に動けると共に、吊下げ杆１が開口部１０の長手方向に自由に動けて、吊下げ杆１は自然に垂下状に吊下げられる（例えば上記図２参照）。
【００４０】
ｔ）上記で天井面４が、同時に他方向へも傾斜していても、吊下げ杆１の連結用部５の側面図で見た凸曲面７ｂが、それに対応する取付け用基部２の連結用凹所１１の凹曲面１２ｂ内で自由に動けるから、吊下げ杆１は開口部１０の短手方向へ動いて、ここでも自然と垂下状に吊り下げられる（例えば上記図３参照）し、またそのために、物を吊り下げた場合に連結各部に無理な力が加わらなくなっている。
【００４１】
ｕ）吊下げ杆１に、物干し竿２３や吊り鉢２４等を吊り下げる際に前後左右に外力が加わっても、上記ｓ），ｔ）の如く吊下げ杆１は取付け用基部２に対して前後および左右に揺動可能であるから、この面でも連結各部に無理な力が加わらず損傷するおそれも無くなっている。
【発明を実施するための最良の形態】
【００４２】
上記吊下げ杆１を、内・外側杆１５，１６で伸縮可能とする伸縮調節部６を設けて、外側杆１６に、該調節部６の小突起１８付きの操作部片１７を可回動に設けて、バネ２０で常時は小突起１８が該外側杆１６の小孔２１から内側へ突出するようにし、他方内側杆１５の長手方向の側面に、上記小突起１８が係合可能な係止用小穴２２を、間隔をおいて複数箇所に形成する。
【００４３】
この構造により、操作部片１７の操作で小突起１８を後退させて内側杆１５をスライドして、所望の高さ位置での係止用小穴２２に小突起１８を係合・係止させれば、吊下げ高さ調節をできるし、また内側杆１５を引き抜けば天井面に取付け用基部２と外側杆１６が残るだけとなり、室内空間を広く利用できかつ体裁もよい。
【００４４】
また、吊下げ杆１の上側の杆の上部に、両側方への短い連結用連結用部５を設けて、該連結用部５の下部を、正面図で見て下方へ円弧状の凸曲面７ａで、側面図で見ても下方へ円弧状の凸曲面７ｂに形成し、かつ、取付け用基部２の下板部９に、吊下げ杆１の連結用部５を下方から内部へ係合可能な横長の開口部１０と、該開口部１０と直交位置に上記連結用部５の正面図および側面図で見た円弧状の凸曲面７ａ，７ｂに対応する凹曲面１２ａ，１２ｂをもつ連結用凹所１１に形成してある。
【００４５】
この構造により、吊下げ杆１は前後左右に揺れ動くことが可能となり、天井面が水平状である場合は勿論のこと、傾斜している場合にも自然と垂下状になる。
【実施例１】
【００４６】
ここでは、本発明の室内用吊下げ具の内で、上記第１および第２のものの両方の構造を含む第３のものの実施例を説明するが、天井面４への取付け用基部２と、それに連結可能な吊下げ杆１とからなる。
【００４７】
まず吊下げ杆１は、スライドにより伸縮可能な内・外側杆１５，１６からなる。ここではいずれもアルミ製として、外側杆１６は上段用で、外径約９ｍｍ、長さ約３３０ｍｍの丸筒状、内側杆１５は下段用で、外径約６ｍｍ、長さ約３００ｍｍの丸棒状のものであって、最大長で約６４０ｍｍまで伸ばせるようにしてある。
【００４８】
上記上段用の外側杆１６の上端に、ここでは別体のアルミダイカスト製の連結用部５を軸装してある。該連結用部５は図１１からも明らかな如く、両側方に短く腕片が延びた形状であって、それを正面図で見るとここでは横幅が約１５ｍｍで、その下部が半径約７ｍｍの下方へ円弧状の凸曲面７を有し、また側面図で見るとここでは横幅が約４５ｍｍで、その下部が半径約５０ｍｍの下方へ円弧状の凸曲面７をもつ形状としてある。また該連結用部５の上部には、ここでは高さ約７ｍｍ、外径約１０ｍｍの短円筒状のガイド用部８を形成してある。
【００４９】
上記吊下げ杆１を伸縮可能とすると共に所定の位置で掛止させるため、ここでは上段用の外側杆１６の下部寄りに、アルミダイカスト製の伸縮調節部６を設けてある。即ち、操作部片は横軸１９で可回動に設けて、その上部寄り内側に小突起１８を形成すると共に、横軸１９より下部寄り位置で操作部片１７と外側杆１６間に、操作部片１７を押圧して小突起１８を外側杆１６に形成した小孔２１から内方へ突出可能なバネ２０を設けてある。      
【００５０】
下段の内側杆１５には、長手方向の側面に内方へ突出時の小突起１８が選択的に係合可能に、深さ３ｍｍの係止用小穴２２を、ここでは約９０ｍｍの間隔で３数箇所形成してある。なお該内側杆１５の下端部には、物干し竿２３等を引掛け可能に、ここではアルミダイカスト製で内径約４２ｍｍのリング状の物掛け用部３を設けてある。
【００５１】
他方、天井面４へ取り付ける取付け用基部２は、図５ないし図１０で示したような構造で、ここでは亜鉛ダイカスト製とし、外径約６０ｍｍ、高さ約２０ｍｍの短円筒形状をしている。
【００５２】
該取付け用基部２の下板部９には、上記吊下げ杆１上部の連結用部５が下方から内部へ係合可能に、ここでは長手方向に約５２ｍｍ、短手方向に約２０ｍｍの横長状の開口部１０を形成すると共に、該開口部１０と直交位置に上記連結用部５の下部が余裕をもって係合可能な連結用凹所１１を、ここでは下方へ膨出するようにして形成してある。
【００５３】
該連結用凹所１１は、上記連結用部５下部の凸曲面７ａ，７ｂが係合可能な形状で、それを正面図で見ると下方へ円弧状の凹曲面１２ａを有し、側面図で見ても下方へ円弧状の凹曲面１２ｂをもつ形状である。
【００５４】
該取付け用基部２の上板部１３には、中央に上記吊下げ杆１上端の凸状ガイド用部８を係合可能な丸孔状ガイド用部２４を形成すると共に、その両側に天井面４への取付けネジ２５のために取付けネジ用孔２６を形成してある。
【００５５】
さらに、吊下げ杆１上部の連結用部５を下方から該取付け用基部２の開口部１０内へ係合させ、その凸状ガイド用部９を上板部１３の丸孔状ガイド用部２４に係合させた状態で縦の中心線ｙの周りに約９０度回動時に、連結用部５の前後面が当たって回動を係止させるべく、上記連結用凹所１１を挟んだ点対称位置に、一対の縦板状のストッパー部１４を形成してある。
【００５６】
なお上記実施例で、伸縮可能な吊下げ杆１は、上段の外側杆１６を中空状で、下段の内側杆１５を棒状にしてあるが、逆に上段を棒状の内側杆とし、下段を中空状の外側杆としてもよいことは上記のとおりである。上記物掛け用部３は、リング状に限らずフック状でもよいことは勿論である。
【図面の簡単な説明】
【００５７】
【図１】本発明に係る室内用吊下げ具の実施例を、水平状の天井面に取付けた状態を示す正面図である。
【図２】本発明に係る室内用吊下げ具の実施例を、傾斜状の天井面に取付けた状態を示す正面図である。
【図３】本発明に係る室内用吊下げ具の実施例を、他の方向へ傾斜状の天井面に取付けた状態を示す側面図である。
【図４】本発明に係る室内用吊下げ具の実施例を天井面に取付けた状態で、吊下げ杆を外した状態の正面図である。
【図５】本発明に係る室内用吊下げ具の実施例で用いた取付け用基部を、上方から見た斜視図である。
【図６】本発明に係る室内用吊下げ具の実施例で用いた取付け用基部を、下方から見た斜視図である。
【図７】本発明に係る室内用吊下げ具の実施例で用いた取付け用基部の側面図である。
【図８】図７で示したもの中央縦断面図である。
【図９】本発明に係る室内用吊下げ具の実施例で用いた取付け用基部の正面図である。
【図１０】図９で示したもののＡ−Ａ線横断面図である。
【図１１】本発明に係る室内用吊下げ具の実施例で用いた吊下げ杆を示す斜視図である。
【図１２】図１１で示したものの一部の切欠き拡大側面図である。
【符号の説明】
【００５８】
１−吊下げ杆
２−取付け用基部
３−物掛け用部
４−天井面
５−連結用部
６−伸縮調節部
７ａ−凸曲面
７ｂ−凸曲面
８−ガイド用部
９−下板部
１０−開口部
１１−連結用凹所
１２ａ−凹曲面
１２ｂ−凹曲面
１３−上板部
１４−ストッパー部
１５−内側杆
１６−外側杆
１７−操作部片
１８−小突起
１９−軸
２０−バネ
２１−小孔
２２−係止用小穴
２３−物干し竿
２４−ガイド用部
２５−取付けネジ
２６−取付けネジ用孔
ｙ−縦の中心線
【図１】
2006020913.tif 000003
【図２】
2006020913.tif 000004
【図３】
2006020913.tif 000005
【図４】
2006020913.tif 000006
【図５】
2006020913.tif 000007
【図６】
2006020913.tif 000008
【図７】
2006020913.tif 000009
【図８】
2006020913.tif 000010
【図９】
2006020913.tif 000011
【図１０】
2006020913.tif 000012
【図１１】
2006020913.tif 000013
【図１２】
2006020913.tif 000014